(57)【要約】【課題】柄に、保持や操作を補助する構造物を設けることで、握力の弱い人にも操作が容易で、手首の負担を軽減し、柄を安定で強く保持できる。【解決手段】図１の如く、柄４に接合する鞍型で上部がドーム状の構造の掌握部２を設け、掌握部２の上部の前半部に前傾して突き出る円柱状の突起する構造の指環部３を設ける。人差し指と親指を指環部３に引っ掛けて環状に握り、手の母指球を掌握部２にのせられる様にしたグリップ補助具１を、柄４の上に取り付ける。【選択図】図１
2012187009.tif 000002
【特許請求の範囲】
【請求項１】
１）親指と人差し指で環状に握る円柱状の指環部上面３１を有する指環部３と、
２）指環部３の後方にあって母指球５をのせるドーム状の掌握部２と、
３）柄４と接する凹状の底面１１とを備えた
ことを特徴とするグリップ補助具。
【請求項２】
グリップ補助具１の内部に空洞を設けたことを特徴とする請求項１記載のグリップ補助具。
【請求項３】
指環部上面３１に構造物を付加したことを特徴とする請求項１記載または請求項２記載のグリップ補助具。
【請求項４】
グリップ補助具１の表面に凹凸加工及び彩色を施したことを特徴とする請求項１から請求項３の何れかに記載のグリップ補助具。
【請求項５】
底面１１と柄４を着脱できる接続装置で連結することを特徴とする請求項１から請求項４の何れかに記載のグリップ補助具。
【請求項６】
柄４と一体に設けたことを特徴とする請求項１から請求項４の何れかに記載のグリップ補助具。
【発明の詳細な説明】
【技術分野】
【０００１】
棒状の柄に設けるグリップ補助具に関する。
【背景技術】
【０００２】
従来、図３に示すように、道具に取り付けられる柄は、手のひらの親指、母指球、小指球側と他の４本の指で挟んで保持する棒状の物であった。
柄をねじる回転方向及び押したり引いたりする前後方向の操作は、手の握力によって生じる摩擦力により行うため、握力が小さいと自在に操作するのが困難であった。
保持する際、手首を小指側へ折り曲げる姿勢になるため、手首に負担がかかり、痛みを伴う事もあった。
これらを補助する構造としては、滑り止めの凹凸形状の付加や、滑りにくい材質の使用、指を掛けて引くまたは押す突起を設けた物は有ったが、全てを一度に解決する構造物は無かった。
【先行技術文献】
【特許文献】
【０００３】
【特許文献１】特開２００１−１９７８５１号公報
【発明の概要】
【発明が解決しようとする課題】
【０００４】
柄に、保持や操作を補助する構造物を設けることで、握力の弱い人にも操作が容易で、手首の負担を軽減し、道具の柄を安定で強く保持できることを目的とする。
【課題を解決するための手段】
【０００５】
１）親指と人差し指で環状に握る円柱状の指環部上面３１を有する指環部３と、
２）指環部３の後方にあって母指球５をのせるドーム状の掌握部２と、
３）柄４と接する凹状の底面１１とを備えた
ことを特徴とするグリップ補助具。
【０００６】
グリップ補助具１の内部に空洞を設けたことを特徴とするグリップ補助具。
【０００７】
指環部上面３１に構造物を付加したことを特徴とするグリップ補助具。
【０００８】
グリップ補助具１の表面に凹凸加工及び彩色を施したことを特徴とするグリップ補助具。
【０００９】
底面１１と柄４を着脱できる接続装置で連結することを特徴とするグリップ補助具。
【００１０】
柄４と一体に設けたことを特徴とするグリップ補助具。
【発明の効果】
【００１１】
１）柄４から分岐して上方へ突き出す円柱状の指環部３を、親指と人差し指で環状に握る事により、柄４の回転及び前後方向の操作を、手の握力に頼る事無く行う事ができる。
２）人差し指が、柄４の上側に位置する事により、手首を小指側へ折り曲げる角度が小さくなり、手首の苦痛を和らげる事ができる。
手のひら全体を広く用いて握る事により、小さい力でも安定で強く保持できる。
【図面の簡単な説明】
【００１２】
【図１】本発明のグリップ補助具の構成。
【図２】本発明のグリップ補助具を柄と一体に作りこんだ場合の構成と、その使用例を示す。
【図３】従来のグリップの構成。
【図４】釣用リールを備えたグリップ補助具。
【図５】犬型デザインのグリップ補助具を取り付けたフライパン。
【発明を実施するための形態】
【００１３】
図１は、本発明のグリップ補助具１の構成を示す。
本発明のグリップ補助具１は、掌握部２と指環部３からなる。
掌握部２は鞍型で、上部は母指球を当てられるようにドーム状になっており、底面１１は、柄４と接続するように凹の半円筒形状になっている。
指環部３は、掌握部２の上部の前半部分から、指環部上面３１を有し、前傾して上方に突き出る円柱状の突起で、人差し指と親指を引っ掛けて握り易くしている。
本発明のグリップ補助具１は、樹脂や木質材の場合、柄４に一体成型で製造するか、柄４と接着剤又は金具を用いて取り付けてもよい。
グリップ補助具１と柄４を一体化してグリップ１０を形成する。
【００１４】
図２は、本発明のグリップ補助具を柄と一体に作りこんだ場合の構成と、その使用例を示す。
本発明のグリップ補助具１は、柄４と、柄４の上部に取り付ける掌握部２と、人差し指と親指を引っ掛ける指環部３が一体に構成している。
指環部３の前側に人差し指を引っ掛け、後側に親指を引っ掛ける。
柄４から分岐して突き出す円柱状の指環部３を、親指と人差し指の２本の指で環状に握る事により、柄４の回転及び前後方向の操作を、手の握力に頼る事無く行う事ができる。
掌握部２の上に母指球５をのせ、掌握部２の後ろの柄４の上に小指球６をのせる。
手のひらをグリップ補助具１の側面に当てる。
中指、薬指、小指を柄４の下側からグリップ補助具１の反対側面に回す。
柄４と掌握部２を、手のひらの母指球５、小指球６側と中指、薬指、小指の３本の指で上下から挟んで保持する。
人差し指が、柄４の上側に位置する事により、手首を小指側へ折り曲げる角度が小さくなり、手首の苦痛を和らげる事ができる。
より重い重量を支えるには、手首にかかる負担を前腕７に分散させる肘当て保持をするため、終端部４１を延長した柄４が用いられる。
柄４の上に小指球６を乗せる事により、終端部４１が前腕７の下側に位置するようになる。
人差し指が、柄４の上側に位置する事により、終端部４１と前腕７の距離が近くなる。
終端部４１が前腕７の下側に位置し、距離が近くなることにより、肘当て保持への移行が容易になる。
手のひら全体を広く用いて握る事により、小さい力でも安定で強く保持できる。
【００１５】
本発明のグリップ補助具１は、フライパン、ポット、片手中華鍋、釣竿、たも網、ギャフ、傘の柄に適用できる。
又、本発明のグリップ補助具１の指環部上面３１を開口又は蓋にして、指環部３と掌握部２の内部を空洞にし、内部に収容できる空間を設けてもよい。
【００１６】
図４は、釣用リールを備えたグリップ補助具である。
指環部上面３１と底面１１に取り付け穴８１を設けて、釣用リール本体８と接続金具８３を取り付けてあり、従来の釣用リールと同様に、接続金具８３を釣竿のリールシートで固定して使用するもので、着脱自在である。ハンドル８２を操作するとき、釣竿が回転するのを容易に抑制できる。このように、指環部上面３１と底面１１に取り付け穴８１を設けることにより、釣用リール本体８や接続金具８３と容易に連結が可能となる。取り付け穴８１は、予め接続用の金具を埋め込んでもよい。指環部上面３１は、釣用リールに限らず、色々な装置や構造物との接続面として利用できる。
【００１７】
図５は、犬型デザインのグリップ補助具を取り付けたフライパンを示す。
指環部上面３１に、犬の頭部形状の構造物９１を取り付けて、掌握部２に犬の足状の凹凸デザイン形状９３の加工及び彩色を施して、柄と一体成型で製造したグリップをフライパン９に取り付けた場合の使用例で、両耳の間の凹部は、お玉受け部９２として利用できる。グリップ補助具１は、犬型デザインに限らず、他の動植物や靴のデザインにしてもよい。
【産業上の利用可能性】
【００１８】
釣具など以外に、掃除道具、農工具、武器防具や色々な分野の道具の柄に応用できる。
【符号の説明】
【００１９】
１      グリップ補助具
１１  底面
２      掌握部
３      指環部
３１  指環部上面
４      柄
４１  終端部
５      母指球
６      小指球
７      前腕
８      釣用リール本体
８１  取り付け穴
８２  ハンドル
８３  接続金具
９      フライパン
９１  犬の頭部形状の構造物
９２  お玉受け部
９３  犬の足状の凹凸デザイン形状
１０    グリップ
【図１】
2012187009.tif 000003
【図２】
2012187009.tif 000004
【図３】
2012187009.tif 000005
【図４】
2012187009.tif 000006
【図５】
2012187009.tif 000007
【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
鞍型で、上部は母指球を当てられるようにドーム状になっており、底面１１は、柄４と接続するように凹の半円筒形状になっている掌握部２と、
掌握部２の上部の前半部分から、前傾して上方に突き出る円柱状の指環部３と
からなるグリップ補助具１であって、
グリップ補助具１を柄４の上に取り付けた場合、
指環部３の前側に人差し指を引っ掛け、後側に親指を引っ掛けて環状に握り、掌握部２の上に母指球をのせ、掌握部２の後ろの柄４の上に小指球をのせ、手のひらをグリップ補助具１の側面に当て、中指、薬指、小指を柄４の下側からグリップ補助具１の反対側面に回し、柄４と掌握部２を、手のひらの母指球、小指球側と中指、薬指、小指の３本の指で上下から挟んで保持するグリップを形成することを特徴とするグリップ補助具。
【手続補正２】
【補正対象書類名】明細書
【補正対象項目名】００１４
【補正方法】変更
【補正の内容】
【００１４】
図２は、本発明のグリップ補助具を柄と一体に作りこんだ場合の構成と、その使用例を示す。
本発明のグリップ補助具１は、柄４と、柄４の上部に取り付ける掌握部２と、人差し指と親指を引っ掛ける指環部３を一体化してグリップを形成する。
指環部３の前側に人差し指を引っ掛け、後側に親指を引っ掛ける。
柄４から分岐して突き出す円柱状の指環部３を、親指と人差し指の２本の指で環状に握る事により、柄４の回転及び前後方向の操作を、手の握力に頼る事無く行う事ができる。
掌握部２の上に母指球５をのせ、掌握部２の後ろの柄４の上に小指球６をのせる。
手のひらをグリップ補助具１の側面に当てる。
中指、薬指、小指を柄４の下側からグリップ補助具１の反対側面に回す。
柄４と掌握部２を、手のひらの母指球５、小指球６側と中指、薬指、小指の３本の指で上下から挟んで保持する。
人差し指が、柄４の上側に位置する事により、手首を小指側へ折り曲げる角度が小さくなり、手首の苦痛を和らげる事ができる。
より重い重量を支えるには、手首にかかる負担を前腕７に分散させる肘当て保持をするため、終端部４１を延長した柄４が用いられる。
柄４の上に小指球６を乗せる事により、終端部４１が前腕７の下側に位置するようになる。
人差し指が、柄４の上側に位置する事により、終端部４１と前腕７の距離が近くなる。
終端部４１が前腕７の下側に位置し、距離が近くなることにより、肘当て保持への移行が容易になる。
手のひら全体を広く用いて握る事により、小さい力でも安定で強く保持できる。
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
鞍型で、上部は母指球を当てられるようにドーム状になっており、底面１１は、柄４と接続するように凹の半円筒形状になっている掌握部２と、
掌握部２の上部の前半部分から、前傾して上方に突き出る円柱状の指環部３と
からなるグリップ補助具１であって、
グリップ補助具１を柄４の上に取り付けた場合、
指環部３の前側に人差し指を引っ掛け、後側に親指を引っ掛けて環状に握り、掌握部２の上に母指球をのせ、掌握部２の後ろの柄４の上に小指球をのせ、手のひらをグリップ補助具１の側面に当て、中指、薬指、小指を柄４の下側からグリップ補助具１の反対側面に回し、柄４と掌握部２を、手のひらの母指球、小指球側と中指、薬指、小指の３本の指で上下から挟んで保持するグリップを形成することを特徴とするグリップ補助具の使用方法。